(57)【特許請求の範囲】
【請求項１】
バーナ燃焼の給排気を行う燃焼ファンが設けられ、バーナに供給される燃料ガス量に対する上記燃焼ファンの回転駆動によるファン風量の比が予め定められた通常空燃比となるための供給燃料ガス量情報とファン風量情報との関係データが通常ファン風量制御データとして与えられており、バーナ燃焼中に上記通常ファン風量制御データに基づいた通常ファン風量制御モードでもって上記燃焼ファンの回転制御を行う通常ファン風量制御部が設けられている燃焼機器において、要求燃焼量に応じたバーナへの供給燃料ガス量に対するファン風量の比を上記通常空燃比よりも大きくして燃焼機器が燃焼開始の点火後燃焼機器が温まるまでの間に発生する共鳴音を抑制するための供給燃料ガス量情報とファン風量情報との関係データが共鳴音防止用ファン風量制御データとして予め定められ、上記共鳴音防止用ファン風量制御データに基づいた共鳴音防止モードでもって燃焼ファンの回転制御を行う共鳴音防止用ファン風量制御部と；バーナ点火後に上記共鳴音防止用ファン風量制御部によって共鳴音防止モードの燃焼ファンの回転制御を行わせ、燃焼機器が温まって共鳴音が発生しなくなった以降に、上記通常ファン風量制御部による通常ファン風量制御モードの燃焼ファンの回転制御に切り換えるファン風量制御モード切り換え部と；が設けられている燃焼機器。
【請求項２】
バーナ点火が成されてから予め定められた共鳴音発生回避時間が経過したときに、燃焼機器が温まって通常空燃比でバーナ燃焼しても共鳴音の発生の虞が無いと判断し得る条件である共鳴音発生回避条件が満たされたと判断する共鳴音発生回避判断部が設けられていることを特徴とする請求項１記載の燃焼機器。
【請求項３】
燃焼機器の周囲の外気温を検出する外気温検出手段と；該外気温検出手段により検出された外気温と要求燃焼量情報とのうちの少なくとも上記検出外気温に基づいて共鳴音発生回避時間を可変設定する共鳴音発生回避時間可変設定部と；が設けられていることを特徴とする請求項２記載の燃焼機器。
【請求項４】
燃焼機器の周囲の外気温を検出する外気温検出手段と；該外気温検出手段により検出される外気温とバーナ点火が成されてからの経過時間の情報とに基づいて、燃焼機器が共鳴音を発する虞があるか否かを判断するための供給燃料ガス量情報とファン風量情報との関係データである共鳴音発生有無判断データを時々刻々と求める共鳴音発生有無判断データ検出部と；要求燃焼量に応じたバーナへの供給燃料ガス量情報に対応する通常ファン風量制御データのファン風量情報と上記共鳴音発生有無判断データのファン風量情報とを比較し、通常ファン風量制御データのファン風量情報よりも共鳴音発生有無判断データのファン風量情報が少なくなったと判断したときに、燃焼機器が温まって通常空燃比でバーナ燃焼しても共鳴音の発生の虞が無いと判断し得る条件である共鳴音発生回避条件が満たされたと判断する共鳴音発生回避判断部と；が設けられていることを特徴とする請求項１記載の燃焼機器。
【請求項５】
燃焼機器の周囲の外気温を検出する外気温検出手段を備え、該外気温検出手段により検出される外気温に基づいて、燃焼機器が共鳴音を発するのを抑制するための共鳴音防止用ファン風量制御データを可変設定する共鳴音防止用ファン風量制御データ可変設定部が設けられていることを特徴とする請求項１乃至請求項４の何れか１つに記載の燃焼機器。
【請求項６】
バーナ点火が成された後に共鳴音防止用ファン風量制御データを通常ファン風量制御データに一致させる方向に段階的に又は連続的に可変するファン風量制御データ可変部が設けられていることを特徴とする請求項１乃至請求項５の何れか１つに記載の燃焼機器。
【請求項７】
給湯用の給湯熱交換器と給湯以外の他機能用の他機能熱交換器とが一体的に設けられ、これら一体化した熱交換器を共通に燃焼加熱するバーナが設けられている一缶二水路タイプの燃焼機器と成していることを特徴とする請求項１乃至請求項６の何れか１つに記載の燃焼機器。
【請求項８】
給湯用の給湯熱交換器と給湯以外の他機能用の他機能熱交換器とが一体的に設けられ、これら一体化した熱交換器を共通に燃焼加熱するバーナと、該バーナ燃焼の給排気を行う燃焼ファンとが設けられ、他機能単独運転中にはバーナ燃焼のオン・オフ制御を行う間欠燃焼制御部が設けられ、また、バーナに供給される燃料ガス量に対する上記燃焼ファンの回転駆動によるファン風量の比が予め定められた通常空燃比となるための供給燃料ガス量情報とファン風量情報との関係データが通常ファン風量制御データとして与えられており、バーナ燃焼中に上記通常ファン風量制御データに基づいて上記燃焼ファンの回転制御を行う構成を備えた一缶二水路タイプの燃焼機器において、他機能単独運転によるバーナ点火が成されてから上記間欠燃焼制御部によってバーナ燃焼が中断するまでの初回燃焼オン期間を少なくとも含む共鳴音防止期間には、要求燃焼量に応じたバーナへの供給燃料ガス量情報に対応する上記通常ファン風量制御データのファン風量よりも多い共鳴音防止用ファン風量がバーナに供給されるように燃焼ファンの回転制御を行う共鳴音防止用ファン風量制御部が設けられている燃焼機器。
【請求項９】
間欠燃焼における初回燃焼オン期間と２回目燃焼オン期間が共鳴音防止期間として定められており、共鳴音防止用ファン風量制御部は、初回燃焼オン期間よりも２回目燃焼オン期間の共鳴音防止用ファン風量が少なくなるように燃焼ファンの回転制御を行う構成と成していることを特徴とする請求項８記載の燃焼機器。
【請求項１０】
給湯用の給湯熱交換器と給湯以外の他機能用の他機能熱交換器とが一体的に設けられ、これら一体化した熱交換器を共通に燃焼加熱するバーナが設けられ、他機能単独運転中にはバーナ燃焼のオン・オフ制御を行う間欠燃焼制御部が設けられている一缶二水路タイプの燃焼機器において、他機能単独運転によりバーナ点火が成されてから上記間欠燃焼制御部によってバーナ燃焼が中断するまでの燃焼機器が点火後の燃焼により温まるまでの初回燃焼オン期間には、要求燃焼量よりも小さい予め定めた共鳴音防止用の燃焼量でもってバーナ燃焼を行わせる共鳴音防止用燃焼量制御部が設けられている燃焼機器。
【請求項１１】
給湯熱交換器内の湯温を検出する熱交換器内湯温検出手段が設けられ、間欠燃焼制御部は上記熱交換器内湯温検出手段により検出された給湯熱交換器内の湯温が予め定めたオフ温度以上に上昇したときにバーナ燃焼を停止させ、上記検出給湯熱交換器内湯温が予め定めたオン温度以下に低下したときにはバーナ燃焼を再開させる構成と成し、共鳴音防止用燃焼量制御部によって燃焼量制御が行われているときには上記オフ温度を高めるオフ温度可変設定部が設けられていることを特徴とする請求項１０記載の燃焼機器。
【発明の詳細な説明】
【０００１】
【発明の属する技術分野】
本発明は、バーナ燃焼の給排気を行う燃焼ファンが設けられている燃焼機器に関するものである。
【０００２】
【従来の技術】
図７には燃焼機器である給湯器の主要構成部分の一例が模式的に示されている。この図７に示すように、器具ケース１内にはバーナ２と該バーナ２の燃焼の給排気を行うための燃焼ファン３とが設けられ、バーナ２には該バーナ２に燃料ガスを導くガス供給通路４が連通接続され、このガス供給通路４にはバーナ２への燃料ガスの供給・停止を行う開閉弁５と、バーナ２へ供給される燃料ガス量を弁開度でもって可変制御する比例弁６とが介設されている。
【０００３】
また、上記バーナ２の上方側には給湯熱交換器７が設けられ、この給湯熱交換器７の入側には該熱交換器７に水を供給する給水通路８が接続され、給湯熱交換器７の出側には給湯通路１０が接続され、この給湯通路１０の出側はシャワーや台所等の給湯場所に導かれている。上記給水通路８には給湯熱交換器７に供給される給水の水温を検出する入水温度センサ１１が設けられ、給湯通路１０には給湯熱交換器７から流れ出た湯水の湯温を検出する出湯温度センサ１２が設けられている。
【０００４】
さらに、この図７に示す燃焼機器には該燃焼機器の運転を制御する制御装置１４が設けられている。例えば、制御装置１４は、上記給湯通路１０の出側に設けられた給湯栓（図示せず）が開栓されて給湯熱交換器７内の湯水が流れ出すと、ガス供給通路４の開閉弁５を開弁し、ガス供給通路４を通して燃料ガスをバーナ２に供給し始めると共に、燃焼ファン３の回転駆動を開始させバーナ２に空気（風）を供給し始めてバーナ２の点火を行う。
【０００５】
このバーナ点火時に、バーナ２に供給する燃料ガス量と空気量であるファン風量とは予め定められている。つまり、図２の点Ｋに示すような点火用の緩点火データが予め与えられており、バーナ２の点火を行うときにはバーナ２に上記緩点火データの燃料ガス量Ｒｋが供給されるように比例弁６の弁開度制御を行い、かつ、バーナ２にファン風量Ｆｋが供給されるように燃焼ファン３の回転制御を行う。なお、上記緩点火データはバーナ２の点火が達成され易い供給燃料ガス量とファン風量との関係データであり、予め実験等によって求められ与えられている。また、比例弁６は通電電流（比例弁電流）が可変すると弁開度が可変する構成であることから、上記比例弁電流を可変制御することで比例弁６の弁開度制御が成される。
【０００６】
上記の如くバーナ点火が行われた以降には、バーナ２の燃焼火炎の熱によって、給湯熱交換器７を流れる水は加熱されて湯となり、この給湯熱交換器７で作り出された湯は給湯通路１０を通って給湯場所に給湯される。
【０００７】
この給湯運転中には、制御装置１４は次に示すようなバーナ２の燃焼量制御や、燃焼ファン３の回転制御を行う。例えば、入水温度センサ１１や出湯温度センサ１２によって検出された湯水の温度を利用し、予め設定された給湯設定温度の湯を給湯するためのバーナ２の燃焼量を時々刻々と求め、この求めた要求燃焼量でもってバーナ２を燃焼させるために上記要求燃焼量に対応する燃料ガス量がバーナ２に供給されるように比例弁６の弁開度制御を行って燃焼量制御を行う。
【０００８】
また、図２の実線Ｌstに示すような通常ファン風量制御データＬstが予め与えられている。この通常ファン風量制御データＬstはバーナ２への供給燃料ガス量と燃焼ファン３の回転駆動によるファン風量との関係データであり、この供給燃料ガス量とファン風量との関係は供給燃料ガス量に対するファン風量の比（空燃比）がバーナ燃焼に適切な予め定められた通常空燃比となるように定められている。
【０００９】
制御装置１４は、上記要求燃焼量に応じた供給燃料ガス量を上記通常ファン風量制御データＬstに参照して上記供給燃料ガス量に対応するファン風量を検出し、該検出ファン風量がバーナ２に供給されるように燃焼ファン３の回転制御を行ってファン風量制御を行う。
【００１０】
制御装置１４は、上記給湯栓が開栓されて給湯熱交換器７の湯水の流れが停止すると、ガス供給通路４の開閉弁５を閉じバーナ２への燃料ガス供給を停止してバーナ２の燃焼を停止させ、また、燃焼ファン３の回転を停止させ、給湯運転を終了する。
【００１１】
【発明が解決しようとする課題】
ところで、燃焼機器が長い時間使用されず冷め切った状態であるときに、バーナ点火が行われ、その点火後、直ぐに、上記通常ファン風量制御データＬstに基づいた燃焼ファン３の回転制御に移行してファン風量制御が行われると、点火してから燃焼機器が温まるまでの間、燃焼機器が振動し該振動に起因して非常に大きな共鳴音が発生する共鳴音発生問題が生じることがある。
【００１２】
この共鳴音発生問題を防止するためには、バーナ点火後に、バーナ燃焼の空燃比（供給燃料ガス量に対するファン風量の比）を前記通常空燃比よりも大きくした状態でバーナ２の燃焼を行わせればよいことが経験的に分かっていることから、次に示すような共鳴音を防止する手段が提案されている。例えば、要求燃焼量に対応するバーナ２への供給燃料ガス量よりも減少させた燃料ガス量をバーナ２に供給し、一方、要求燃焼量に応じたファン風量をバーナ２に供給することでバーナ燃焼の空燃比を通常空燃比よりも大きくし、共鳴音を防止するという手段が提案されている。
【００１３】
しかしながら、この提案の手段では、バーナ２に供給される燃料ガス量は要求燃焼量に応じた燃料ガス量よりも少ないことから、バーナ２の燃焼量が要求燃焼量よりも少なくなり、このために、給湯設定温度よりもぬるめの湯温の湯が給湯されてしまい、給湯湯温制御の信頼性が悪化するという問題が生じ、満足のいくものではなかった。
【００１４】
本発明は上記課題を解決するために成されたものであり、その目的は、共鳴音発生問題を防止することが可能な満足できる燃焼機器を提供することにある。
【００１５】
【課題を解決するための手段】
上記目的を達成するためにこの発明は次に示すような構成をもって前記課題を解決する手段としている。すなわち、第１の発明は、バーナ燃焼の給排気を行う燃焼ファンが設けられ、バーナに供給される燃料ガス量に対する上記燃焼ファンの回転駆動によるファン風量の比が予め定められた通常空燃比となるための供給燃料ガス量情報とファン風量情報との関係データが通常ファン風量制御データとして与えられており、バーナ燃焼中に上記通常ファン風量制御データに基づいた通常ファン風量制御モードでもって上記燃焼ファンの回転制御を行う通常ファン風量制御部が設けられている燃焼機器において、要求燃焼量に応じたバーナへの供給燃料ガス量に対するファン風量の比を上記通常空燃比よりも大きくして燃焼機器が燃焼開始の点火後燃焼機器が温まるまでの間に発生する共鳴音を抑制するための供給燃料ガス量情報とファン風量情報との関係データが共鳴音防止用ファン風量制御データとして予め定められ、上記共鳴音防止用ファン風量制御データに基づいた共鳴音防止モードでもって燃焼ファンの回転制御を行う共鳴音防止用ファン風量制御部と；バーナ点火後に上記共鳴音防止用ファン風量制御部によって共鳴音防止モードの燃焼ファンの回転制御を行わせ、燃焼機器が温まって共鳴音が発生しなくなった以降に、上記通常ファン風量制御部による通常ファン風量制御モードの燃焼ファンの回転制御に切り換えるファン風量制御モード切り換え部と；が設けられている構成をもって前記課題を解決する手段としている。
【００１６】
第２の発明は、上記第１の発明の構成を備え、バーナ点火が成されてから予め定められた共鳴音発生回避時間が経過したときに、燃焼機器が温まって通常空燃比でバーナ燃焼しても共鳴音の発生の虞が無いと判断し得る条件である共鳴音発生回避条件が満たされたと判断する共鳴音発生回避判断部が設けられている構成をもって前記課題を解決する手段としている。
【００１７】
第３の発明は、上記第２の発明の構成に加えて、燃焼機器の周囲の外気温を検出する外気温検出手段と；該外気温検出手段により検出された外気温と要求燃焼量情報とのうちの少なくとも上記検出外気温に基づいて共鳴音発生回避時間を可変設定する共鳴音発生回避時間可変設定部と；が設けられている構成をもって前記課題を解決する手段としている。
【００１８】
第４の発明は、上記第１の発明の構成を備え、燃焼機器の周囲の外気温を検出する外気温検出手段と；該外気温検出手段により検出される外気温とバーナ点火が成されてからの経過時間の情報とに基づいて、燃焼機器が共鳴音を発する虞があるか否かを判断するための供給燃料ガス量情報とファン風量情報との関係データである共鳴音発生有無判断データを時々刻々と求める共鳴音発生有無判断データ検出部と；要求燃焼量に応じたバーナへの供給燃料ガス量情報に対応する通常ファン風量制御データのファン風量情報と上記共鳴音発生有無判断データのファン風量情報とを比較し、通常ファン風量制御データのファン風量情報よりも共鳴音発生有無判断データのファン風量情報が少なくなったと判断したときに、燃焼機器が温まって通常空燃比でバーナ燃焼しても共鳴音の発生の虞が無いと判断し得る条件である共鳴音発生回避条件が満たされたと判断する共鳴音発生回避判断部と；が設けられている構成をもって前記課題を解決する手段としている。
【００１９】
第５の発明は、上記第１〜第４の発明のうちの何れか１つの発明の構成を備え、燃焼機器の周囲の外気温を検出する外気温検出手段を備え、該外気温検出手段により検出される外気温に基づいて、燃焼機器が共鳴音を発するのを抑制するための共鳴音防止用ファン風量制御データを可変設定する共鳴音防止用ファン風量制御データ可変設定部が設けられている構成をもって前記課題を解決する手段としている。
【００２０】
第６の発明は、上記第１〜第５の発明のうちの何れか１つの発明の構成を備え、バーナ点火が成された後に共鳴音防止用ファン風量制御データを通常ファン風量制御データに一致させる方向に段階的に又は連続的に可変するファン風量制御データ可変部が設けられている構成をもって前記課題を解決する手段としている。
【００２１】
第７の発明は、上記第１〜第６の発明のうちの何れか１つの発明の構成を備え、給湯用の給湯熱交換器と給湯以外の他機能用の他機能熱交換器とが一体的に設けられ、これら一体化した熱交換器を共通に燃焼加熱するバーナが設けられている一缶二水路タイプの燃焼機器と成している構成をもって前記課題を解決する手段としている。
【００２２】
第８の発明は、給湯用の給湯熱交換器と給湯以外の他機能用の他機能熱交換器とが一体的に設けられ、これら一体化した熱交換器を共通に燃焼加熱するバーナと、該バーナ燃焼の給排気を行う燃焼ファンとが設けられ、他機能単独運転中にはバーナ燃焼のオン・オフ制御を行う間欠燃焼制御部が設けられ、また、バーナに供給される燃料ガス量に対する上記燃焼ファンの回転駆動によるファン風量の比が予め定められた通常空燃比となるための供給燃料ガス量情報とファン風量情報との関係データが通常ファン風量制御データとして与えられており、バーナ燃焼中に上記通常ファン風量制御データに基づいて上記燃焼ファンの回転制御を行う構成を備えた一缶二水路タイプの燃焼機器において、他機能単独運転によるバーナ点火が成されてから上記間欠燃焼制御部によってバーナ燃焼が中断するまでの初回燃焼オン期間を少なくとも含む共鳴音防止期間には、要求燃焼量に応じたバーナへの供給燃料ガス量情報に対応する上記通常ファン風量制御データのファン風量よりも多い共鳴音防止用ファン風量がバーナに供給されるように燃焼ファンの回転制御を行う共鳴音防止用ファン風量制御部が設けられている構成をもって前記課題を解決する手段としている。
【００２３】
第９の発明は、上記第８の発明の構成を備え、間欠燃焼における初回燃焼オン期間と２回目燃焼オン期間が共鳴音防止期間として定められており、共鳴音防止用ファン風量制御部は、初回燃焼オン期間よりも２回目燃焼オン期間の共鳴音防止用ファン風量が少なくなるように燃焼ファンの回転制御を行う構成と成している構成をもって前記課題を解決する手段としている。
【００２４】
第１０の発明は、給湯用の給湯熱交換器と給湯以外の他機能用の他機能熱交換器とが一体的に設けられ、これら一体化した熱交換器を共通に燃焼加熱するバーナが設けられ、他機能単独運転中にはバーナ燃焼のオン・オフ制御を行う間欠燃焼制御部が設けられている一缶二水路タイプの燃焼機器において、他機能単独運転によりバーナ点火が成されてから上記間欠燃焼制御部によってバーナ燃焼が中断するまでの燃焼機器が点火後の燃焼により温まるまでの初回燃焼オン期間には、要求燃焼量よりも小さい予め定めた共鳴音防止用の燃焼量でもってバーナ燃焼を行わせる共鳴音防止用燃焼量制御部が設けられている構成をもって前記課題を解決する手段としている。
【００２５】
第１１の発明は、上記第１０の発明の構成を備え、給湯熱交換器内の湯温を検出する熱交換器内湯温検出手段が設けられ、間欠燃焼制御部は上記熱交換器内湯温検出手段により検出された給湯熱交換器内の湯温が予め定めたオフ温度以上に上昇したときにバーナ燃焼を停止させ、上記検出給湯熱交換器内湯温が予め定めたオン温度以下に低下したときにはバーナ燃焼を再開させる構成と成し、共鳴音防止用燃焼量制御部によって燃焼量制御が行われているときには上記オフ温度を高めるオフ温度可変設定部が設けられている構成をもって前記課題を解決する手段としている。
【００２６】
上記構成の発明において、例えば、バーナ点火が行われた後には、要求燃焼量に応じた燃料ガス量をバーナに供給すると共に、バーナへの供給燃料ガス量に対するファン風量の比（空燃比）が通常空燃比よりも大きくなるように、例えば共鳴音防止用ファン風量制御データに基づいて、燃焼ファンの回転制御を行う。
【００２７】
共鳴音が発生する虞がある期間、つまり、バーナ点火が行われてから燃焼機器が温まるまでの期間の間、上記のような燃焼ファンの回転制御を行い、共鳴音発生を抑制することができるように通常空燃比よりもバーナ燃焼の空燃比を大きくすることによって、共鳴音を防止することができる。その上に、バーナには要求燃焼量に応じた燃料ガス量が供給されるので、共鳴音を防止しながら、バーナは要求燃焼量でもって燃焼を行うことができることとなり、共鳴音を防止できる満足のいく燃焼機器を得ることができ、前記課題が解決される。
【００２８】
【発明の実施の形態】
以下に、この発明に係る実施形態例を図面に基づき説明する。
【００２９】
第１の実施形態例の燃焼機器は前記図７の実線に示すシステム構成を備え、特徴的なことは、図７の鎖線に示すような燃焼機器の周囲の外気温を検出する外気温検出手段１６が設けられ、また、制御装置１４に前記共鳴音発生を抑制することができる特有な制御構成が備えられていることである。なお、図７に示す燃焼機器のシステム構成において前述した部分の重複説明は省略する。
【００３０】
この第１の実施形態例において特徴的な制御装置１４は、図１の実線に示すように、燃焼量制御部２０と点火制御部２１と共鳴音発生回避時間可変設定部２２と時間計測手段２３と共鳴音発生回避判断部２４とデータ格納部２５と通常ファン風量制御部２６とファン風量制御モード切り換え部２７と共鳴音防止用ファン風量制御部２８とを有して構成されている。
【００３１】
点火制御部２１はバーナ２の点火を制御する構成を備えている。例えば、図２の点Ｋに示すような緩点火データが予め定められてデータ格納部２５に格納されており、点火制御部２１は、給湯栓が開栓されて給湯熱交換器７内の水が流れ始めると、バーナ２に上記緩点火データの燃料ガス量Ｒｋが供給されるように比例弁６の弁開度を制御し、また、バーナ２に上記緩点火データのファン風量Ｆｋが供給されるように燃焼ファン３の回転制御を行って、バーナ２を点火する。そして、この第１の実施形態例では、点火制御部２１は、上記バーナ点火制御の後に、バーナ２のほぼ全領域に亙り火炎が形成されて着火が達成されたときに、バーナ点火が達成されたことを知らせる点火完了信号を燃焼量制御部２０と共鳴音発生回避判断部２４とファン風量制御モード切り換え部２７にそれぞれ出力する。
【００３２】
燃焼量制御部２０は点火制御部２１から上記点火完了信号が加えられバーナ点火が達成されたことを検知した以降には、給湯設定温度の湯を給湯するための燃焼量を時々刻々と求め、この求めた要求燃焼量が得られるようにバーナ２の燃焼量制御を行う。つまり、燃焼量制御部２０は、上記求めた要求燃焼量を得るのに必要な燃料ガス量がバーナ２に供給されるように比例弁６の弁開度制御を行ってバーナ２の燃焼量制御を行う。
【００３３】
データ格納部２５には前記した図２の実線Ｌstに示すような通常ファン風量制御データＬstが格納されており、通常ファン風量制御部２６は上記通常ファン風量制御データＬstに基づいた通常ファン風量制御モードでもって燃焼ファン３の回転制御を行う。例えば、通常ファン風量制御部２６は前記燃焼量制御部２０の動作情報を時々刻々と取り込み、該取り込んだ情報に基づいたバーナ２への供給燃料ガス量を上記データ格納部２５の通常ファン風量制御データＬstに参照し、上記供給燃料ガス量に対応する通常ファン風量制御データＬstのファン風量を検出し、この検出したファン風量がバーナ２に供給されるように燃焼ファン３の回転制御を行う。
【００３４】
具体的には、例えば、バーナ２への供給燃料ガス量が図２に示す燃料ガス量Ｒexである場合には、上記通常ファン風量制御部２６は、その燃料ガス量Ｒexに対応する通常ファン風量制御データＬstのファン風量Ｆexがバーナ２に供給されるように燃焼ファン３の回転制御を行う。
【００３５】
ところで、前述したように、燃焼機器が長い時間使用されず冷め切った状態であるときに、バーナ点火が成され、その点火直後に、上記通常ファン風量制御部２６による通常ファン風量制御モードでもって燃焼ファン３の回転制御が行われると、燃焼機器が温められるまで燃焼機器が振動し該振動に起因した非常に大きな共鳴音が発生する虞がある。
【００３６】
そこで、この第１の実施形態例では、バーナ燃焼の空燃比（バーナへの供給燃料ガス量に対するファン風量の比）を前記通常空燃比よりも大きくすることによって前記共鳴音を防止することができることから、このことを考慮して、次に示すような構成を持つ共鳴音防止用ファン風量制御部２８を設けた。
【００３７】
共鳴音防止用ファン風量制御部２８は、図２の実線Ｌ１に示すような共鳴音防止用ファン風量制御データＬ１に基づいた共鳴音防止モードでもって燃焼ファン３の回転制御を行う。
【００３８】
上記共鳴音防止用ファン風量制御データＬ１はバーナ燃焼の空燃比を前記通常空燃比よりも大きくして共鳴音の発生を抑制することができるバーナ２への供給燃料ガス量とファン風量の関係データであり、その共鳴音を防止できる空燃比に基づいた供給燃料ガス量とファン風量との関係は実験や演算等によって求められたものである。
【００３９】
共鳴音防止用ファン風量制御部２８は、例えば、燃焼量制御部２０から取り込んだ情報に基づいたバーナ２への供給燃料ガス量を上記共鳴音防止用ファン風量制御データＬ１に参照し、上記供給燃料ガス量に対応するファン風量を上記共鳴音防止用ファン風量制御データＬ１から検出し、該検出したファン風量がバーナ２に供給されるように燃焼ファン３の回転制御を行う。
【００４０】
具体的には、例えば、バーナ２に供給されている燃料ガス量が図２に示す燃料ガス量Ｒexである場合には、上記共鳴音防止用ファン風量制御部２８は、その燃料ガス量Ｒexに対応する共鳴音防止用ファン風量制御データＬ１のファン風量Ｆex’がバーナ２に供給されるように燃焼ファン３の回転制御を行う。
【００４１】
この第１の実施形態例では、ファン風量制御モード切り換え部２７が設けられている。このファン風量制御モード切り換え部２７は上記通常ファン風量制御部２６による通常ファン風量制御モードの燃焼ファン３の回転制御と、共鳴音防止用ファン風量制御部２８による共鳴音防止モードの燃焼ファン３の回転制御との切り換え制御を行う。例えば、ファン風量制御モード切り換え部２７は前記点火制御部２１からバーナ点火を知らせる点火完了信号が加えられると、まず、前記共鳴音防止用ファン風量制御部２８によって燃焼ファン３の回転制御を行わせ、共鳴音発生を防止する。
【００４２】
ところで、上記共鳴音防止モードでもって燃焼ファン３の回転制御が行われることによって、共鳴音の発生を防止することはできるけれども、バーナ燃焼の空燃比は通常空燃比からずれており、バーナ燃焼は適切な燃焼状態ではないことから、この燃焼状態が長い時間に亙り継続されることは好ましくなく、共鳴音の発生の虞が無くなったときには、通常ファン風量制御部２６による通常ファン風量制御モードの燃焼ファン３の回転制御に切り換え、通常空燃比のバーナ燃焼に移行させて良好な燃焼状態にすることが望まれる。
【００４３】
そこで、バーナ点火後にバーナ燃焼によって燃焼機器が温まり通常空燃比でバーナ燃焼を行っても共鳴音発生が回避される状態となったと判断できる共鳴音発生回避条件を予め定めておき、上記ファン風量制御モード切り換え部２７は、上記共鳴音発生回避条件が満たされたときに、通常空燃比でバーナ燃焼を行っても共鳴音発生の虞は無くなったと判断して、共鳴音防止用ファン風量制御部２８による共鳴音防止モードの燃焼ファン３の回転制御から、通常ファン風量制御部２６による通常ファン風量制御モードの燃焼ファン３の回転制御に切り換える。
【００４４】
この第１の実施形態例では、上記共鳴音発生回避条件として、バーナを点火してからの経過時間が共鳴音発生回避時間に達することという条件が定められている。上記共鳴音発生回避時間とは、バーナ２の点火が成されてから燃焼機器が温まり通常空燃比でバーナ燃焼を行っても共鳴音の発生の虞が無くなったと判断できるまでの時間である。ところで、燃焼機器の周囲の外気温が低くなるに従って燃焼機器の冷めの度合いが大きくなり、点火が成されてから燃焼機器が温まるまでの時間が長くなる。また、バーナ２の燃焼量が大きくバーナ２で燃焼されている燃料ガス量が多い程、共鳴音発生の虞がある期間が長くなることが分かっている。これらのことから、この第１の実施形態例では、共鳴音発生回避時間可変設定部２２を設け、該共鳴音発生回避時間可変設定部２２によって、燃焼機器の周囲の外気温と燃焼機器の燃焼量とを考慮して上記共鳴音発生回避時間を可変設定する構成が備えられている。
【００４５】
つまり、共鳴音発生回避時間可変設定部２２は、外気温検出手段１６によって検出される外気温と、燃焼量制御部２０から取り込んだ要求燃焼量情報と、データ格納部２５に予め与えられている共鳴音発生回避時間設定用データとに基づいて、共鳴音発生回避時間を可変設定する。
【００４６】
上記共鳴音発生回避時間設定用データとは、燃焼機器の周囲の外気温と要求燃焼量との組み合わせによって、共鳴音発生回避時間を設定するためのデータであり、実験や演算等によって求めて定められており、例えば、図３に示すようなグラフデータにより形成されている。この図３に示す共鳴音発生回避時間設定用データは、外気温に関連付けられた実線ａ〜ｄに示すような複数の燃焼量と共鳴音発生回避時間との関係データにより形成されている。なお、上記図３に示す実線データａから実線データｄに向かうに従って関連付けられている外気温は低くなっている。
【００４７】
上記図３に示すような共鳴音発生回避時間設定用データが与えられている場合には、例えば、共鳴音発生回避時間可変設定部２２は、上記関係データａ〜ｄの中から、外気温検出手段１６の検出外気温に対応する関係データを選択し、この選択した関係データに燃焼量制御部２０から取り込んだ要求燃焼量を参照し、要求燃焼量に対応する上記選択した関係データの共鳴音発生回避時間を検出し、該検出した時間を共鳴音発生回避時間として設定する。
【００４８】
共鳴音発生回避判断部２４はバーナが点火されてから、上記のように設定された共鳴音発生回避時間が経過したときに、共鳴音発生回避条件が満たされたと判断する。すなわち、共鳴音発生回避判断部２４は前記点火制御部２１から前記点火完了信号が加えられると、計測開始信号を時間計測手段２３に出力する。時間計測手段２３は時計機構（図示せず）を内蔵しており、上記計測開始信号が加えられると、上記時計機構を駆動してバーナ２の点火が成されてからの経過時間の計測を開始する。
【００４９】
共鳴音発生回避判断部２４は上記時間計測手段２３により計測されている時間情報を時々刻々と取り込み、この計測時間を共鳴音発生回避時間可変設定部２２により設定された共鳴音発生回避時間に比較し、時間計測手段２３の計測時間が上記共鳴音発生回避時間に達したか否かを判断する。
【００５０】
共鳴音発生回避判断部２４は上記比較判断の結果、時間計測手段２３の計測時間が上記共鳴音発生回避時間に達したと判断したときに、共鳴音発生回避条件が満たされた、つまり、バーナ燃焼により燃焼機器が温まり共鳴音発生の虞が無くなったと判断し、共鳴音発生が回避されたことを知らせる信号をファン風量制御モード切り換え部２７に出力する。この信号を受けて、ファン風量制御モード切り換え部２７は、前記したような燃焼ファン３の回転制御のモード切り換えを行う。
【００５１】
この第１の実施形態例によれば、通常ファン風量制御部２６に加えて、共鳴音防止用ファン風量制御部２８を設け、点火後には、共鳴音防止用ファン風量制御部２８による共鳴音防止モードの燃焼ファン３の回転制御が行われるので、つまり、点火後には、共鳴音を防止することができるように通常空燃比よりもバーナ燃焼の空燃比が大きくなるように燃焼ファン３の回転制御が成されるので、共鳴音の発生を回避することができる。このことによって、器具の利用者に共鳴音発生による不快感を与えるのを防止することができる。
【００５２】
また、この第１の実施形態例では、通常よりもファン風量を増加することで、空燃比を通常空燃比よりも大きくして共鳴音発生を防止する構成であり、バーナ２には要求燃焼量に応じた燃料ガス量が供給されるので、バーナ２は要求燃焼量でもって燃焼することができる。このことによって、共鳴音発生を防止しながら、湯の利用者が所望する給湯設定温度の湯を給湯することができ、給湯運転の信頼性の低下を防止することができる。
【００５３】
さらに、この第１の実施形態例では、共鳴音発生回避条件が満たされ、通常ファン風量制御モードで燃焼ファン３の回転制御が行われても共鳴音が発生しない状態となったときに、共鳴音防止用ファン風量制御部２８による共鳴音防止モードから通常ファン風量制御部２６による通常ファン風量制御モードに切り換わる構成であるので、共鳴音の発生が回避された状態となった以降には通常ファン風量制御が行われ、適切な通常空燃比でもってバーナ燃焼が行われることとなり、上記共鳴音防止用ファン風量制御部２８による共鳴音防止モードの燃焼ファン３の回転制御が長い時間に亙り継続されることによる弊害発生を防止することができる。
【００５４】
さらに、この第１の実施形態例では、共鳴音発生回避判断部２４は、バーナ２の点火が成されてから共鳴音発生回避時間が経過したときに共鳴音発生回避条件が満たされたと判断する構成であるので、通常ファン風量制御モードで燃焼ファン３の回転制御を行っても共鳴音発生の虞が無い状態となったことを簡単な構成で判断することができる。換言すれば、簡単な制御構成で、共鳴音防止モードから通常ファン風量制御モードへの切り換えタイミングを決定することができる。
【００５５】
また、バーナが点火されてから燃焼機器が温まり共鳴音発生の虞が無くなるまでの時間は燃焼機器の周囲の外気温や燃焼量に応じて可変することから、共鳴音防止モードから通常ファン風量制御モードへの切り換えに適したタイミングも上記外気温や燃焼量に応じて可変する。この第１の実施形態例では、共鳴音発生回避時間可変設定部２２が設けられ、該共鳴音発生回避時間可変設定部２２によって燃焼機器の周囲の外気温や、要求燃焼量に応じて上記共鳴音発生回避時間を可変設定する構成を備えているので、燃焼機器の周囲の外気温や、要求燃焼量の大小（高低）に拘わらず、常に、より適したタイミングで、共鳴音防止モードから通常ファン風量制御モードへ燃焼ファン３の回転制御のモード切り換えを行うことができる。
【００５６】
以下に、第２の実施形態例を説明する。この第２の実施形態例では、前記第１の実施形態例と同様に、バーナ２が点火されてから予め定められた共鳴音発生回避条件が満たされるまでの間には共鳴音防止用ファン風量制御部２８による共鳴音防止モードの燃焼ファン３の回転制御が行われ、上記共鳴音発生回避条件が満たされたときに、上記共鳴音防止用ファン風量制御部２８による共鳴音防止モードの燃焼ファン３の回転制御から通常ファン風量制御部２６による通常ファン風量制御モードの燃焼ファン３の回転制御への切り換えが行われる構成を備えているが、この第２の実施形態例では、共鳴音発生回避条件が前記第１の実施形態例とは異なっており、上記燃焼ファン３の回転制御モードの切り換えタイミングの決定に関する特有な制御構成を備えている。
【００５７】
すなわち、この第２の実施形態例では、制御装置１４は、図４の実線に示すように、燃焼量制御部２０と点火制御部２１と時間計測手段２３と共鳴音発生回避判断部２４とデータ格納部２５と通常ファン風量制御部２６とファン風量制御モード切り換え部２７と共鳴音防止用ファン風量制御部２８と共鳴音発生有無判断データ検出部３０とを有して構成されている。
【００５８】
なお、上記燃焼量制御部２０と点火制御部２１と時間計測手段２３とデータ格納部２５と通常ファン風量制御部２６とファン風量制御モード切り換え部２７と共鳴音防止用ファン風量制御部２８とは前記第１の実施形態例に示した燃焼量制御部２０と点火制御部２１と時間計測手段２３とデータ格納部２５と通常ファン風量制御部２６とファン風量制御モード切り換え部２７と共鳴音防止用ファン風量制御部２８とそれぞれほぼ同様な構成を備えており、その共通部分の重複説明は省略する。
【００５９】
この第２の実施形態例では、バーナ２が点火された以降に、燃焼機器が共鳴音を発生する虞があるか否かを判断するための共鳴音発生有無判断データを時々刻々と求め、この共鳴音発生有無判断データに基づいて、バーナ燃焼によって燃焼機器が温まり通常空燃比でバーナ燃焼を行っても共鳴音発生の虞が無くなったと判断したときに共鳴音発生回避条件が満たされたと判断する。
【００６０】
共鳴音発生有無判断データ検出部３０は上記共鳴音発生有無判断データを求める構成を有するものであり、例えば、点火制御部２１からバーナ２の点火が成されたことを知らせる点火完了信号が出力されたことを検知すると、外気温検出手段１６により検出された外気温を取り込むと共に、時間計測手段２３に計測開始信号を出力する。時間計測手段２３は上記計測開始信号を受け取ると、内蔵の時計機構（図示せず）を利用してバーナ２の点火が成されてからの経過時間の計測を開始する。
【００６１】
共鳴音発生有無判断データ検出部３０は、上記取り込んだ外気温の情報と、データ格納部２５に予め格納されている共鳴音発生有無判断データ設定用データとに基づいて共鳴音発生有無判断データを求める。この共鳴音発生有無判断データは、燃焼機器が共鳴音を発生する虞があるか否かを判断するためのバーナ２への供給燃料ガス量とファン風量との関係データである。
【００６２】
この第２の実施形態例では、外気温に関連付けられた図２の鎖線ａ〜ｇに示すような複数の共鳴音発生有無判断データが実験や演算等によって求められ点火時共鳴音発生有無判断データ設定用データとしてデータ格納部２５に格納されており、共鳴音発生有無判断データ検出部３０は上記共鳴音発生有無判断データａ〜ｇの中から、上記取り込んだ外気温に対応する共鳴音発生有無判断データを選択して読み出し、バーナ点火が行われたときの共鳴音発生有無判断データを検出する。
【００６３】
このように、点火時の共鳴音発生有無判断データを検出した以降には、共鳴音発生有無判断データ検出部３０は上記時間計測手段２３により計測されている時間を時々刻々と取り込み、この計測時間に応じて上記選択した共鳴音発生有無判断データをファン風量の減少方向に（つまり、図２に示す共鳴音発生有無判断データａから共鳴音発生有無判断データｇに向かう方向に）平行移動させて共鳴音発生有無判断データを時々刻々と可変設定する。
【００６４】
共鳴音発生回避判断部２４は上記共鳴音発生有無判断データ検出部３０により可変設定される共鳴音発生有無判断データの情報を時々刻々と取り込むと共に、燃焼量制御部２０からバーナ２に供給される燃料ガス量の情報を取り込んで、バーナ２への供給燃料ガス量に対応する上記共鳴音発生有無判断データのファン風量と前述した通常ファン風量制御データＬstのファン風量とを比較し、上記共鳴音発生有無判断データのファン風量が通常ファン風量制御データＬstのファン風量よりも少ないか否かを判断する。
【００６５】
共鳴音発生回避判断部２４は上記比較判断の結果、共鳴音発生有無判断データのファン風量が通常ファン風量制御データＬstのファン風量よりも少ないと判断したときに、共鳴音発生回避条件が満たされた、つまり、燃焼機器が温まり通常空燃比でバーナ燃焼を行っても共鳴音発生の虞が無くなったと判断し、共鳴音発生回避条件が満たされたことを知らせる信号をファン風量制御モード切り換え部２７に出力する。
【００６６】
具体的には、例えば、バーナ２が点火されたときに外気温検出手段１６の検出外気温に対応する共鳴音発生有無判断データが図２の鎖線ｂに示すデータであり、要求燃焼量が図２に示す燃焼量Ｒｘであった場合には、バーナ点火直後には、上記要求燃焼量Ｒｘに対応する上記共鳴音発生有無判断データｂのファン風量Ｆｘは通常ファン風量制御データＬstのファン風量Ｆｓよりも多いけれども、時間の経過に従って、上記共鳴音発生有無判断データｂはファン風量の減少方向に平行移動し、この平行移動によって、要求燃焼量Ｒｘに対応する上記共鳴音発生有無判断データｂのファン風量が減少していき、上記共鳴音発生回避判断部２４によって、その共鳴音発生有無判断データｂのファン風量が通常ファン風量制御データＬstのファン風量Ｆｓよりも少なくなったと判断されたときに、共鳴音発生回避条件が満たされたことを知らせる信号がファン風量制御モード切り換え部２７に出力される。
【００６７】
ファン風量制御モード切り換え部２７は、その信号を受け取ると、前記第１の実施形態例に述べたように、燃焼ファン３の回転制御モードの切り換えを行う。
【００６８】
この第２の実施形態例によれば、前記第１の実施形態例と同様に、共鳴音防止用ファン風量制御部２８を設け、バーナが点火されてから共鳴音が発生する虞がある期間には、共鳴音発生を防止するために通常空燃比よりも空燃比が大きくなるように燃焼ファン３の回転制御を行うので、燃焼機器が共鳴音を発するのを防止することができる。また、要求燃焼量に応じた燃料ガス量をバーナ２に供給しながら上記の如く共鳴音発生を防止することから、要求燃焼量でバーナ２の燃焼が行われ、湯の利用者が所望する給湯設定温度の湯を給湯することができる。このことから、燃焼機器が共鳴音を発するのを防止することができる上に、給湯運転の信頼性の低下を回避することができる。
【００６９】
さらに、燃焼機器が共鳴音を発するか否かを判断するための共鳴音発生有無判断データを求め、該共鳴音発生有無判断データに基づいて、燃焼ファン３の回転制御の共鳴音防止モードから通常ファン風量制御モードへの切り換えタイミングを決定する構成を備えたので、モード切り換えに適したタイミングで、燃焼ファン３の回転制御モードの切り換えを行うことが可能である。このことによって、モード切り換えが早過ぎて共鳴音が発生してしまうという問題や、切り換えが遅過ぎて、共鳴音防止モードによる燃焼ファン３の回転制御が長い時間に亙り継続的に行われることに起因した弊害発生という問題を防止することができる。
【００７０】
以下に、第３の実施形態例を説明する。この第３の実施形態例において特徴的なことは、前記各実施形態例の構成に加えて、図１や図４の点線に示す共鳴音防止用ファン風量制御データ可変設定部３１が設けられていることであり、それ以外の構成は前記各実施形態例の構成と同様であり、その共通部分の重複説明は省略する。
【００７１】
この第３の実施形態例では、前記各実施形態例に示すようにデータ格納部２５に予め共鳴音防止用ファン風量制御データＬ１を格納しておくのに代えて、バーナ２の点火が成される度に、燃焼機器の周囲の外気温に基づいて共鳴音防止用ファン風量制御データＬ１を可変設定する構成を備えたことを特徴としている。
【００７２】
ところで、燃焼機器の周囲の外気温が低くなるに従って燃焼機器の冷めの度合いは大きくなり、また、反対に、外気温が高くなるに従って燃焼機器の冷めの度合いは小さくなるというように、燃焼機器の冷めの度合いは燃焼機器の外気温に応じて可変すると想定される。前述したように、バーナ燃焼の空燃比を通常空燃比からずらすことによって共鳴音発生を抑制することが可能であり、その共鳴音発生を抑制するための最適な空燃比と通常空燃比とのずれ量はバーナ２の点火が成されたときの燃焼機器の冷めの度合いに応じて（換言すれば、燃焼機器の周囲の外気温に応じて）変化するものである。このことから、燃焼機器の周囲の外気温に応じて変化する、共鳴音発生を抑制するための最適な空燃比と通常空燃比とのずれ量に基づいて、共鳴音防止用ファン風量制御データＬ１を可変設定することが考えられる。
【００７３】
そこで、この第３の実施形態例では、前述したように、バーナ点火時に、燃焼機器の周囲の外気温に応じて共鳴音防止用ファン風量制御データＬ１を可変設定する制御構成を備えた。
【００７４】
すなわち、共鳴音防止用ファン風量制御データ可変設定部３１は点火制御部２１からバーナ２の点火が成されたことを知らせる点火完了信号が出力されたことを検知したときに、外気温検出手段１６により検出された外気温を検出する。
【００７５】
データ格納部２５には外気温を利用して共鳴音防止用ファン風量制御データＬ１を求めるためのデータが予め与えられている。例えば、外気温を利用して共鳴音防止用ファン風量制御データを算出するためのデータが共鳴音防止用ファン風量制御データ算出用データとして与えられている。
【００７６】
共鳴音防止用ファン風量制御データ可変設定部３１は上記取り込んだ外気温と、上記共鳴音防止用ファン風量制御データ算出用データとに基づいて共鳴音防止用ファン風量制御データＬ１を算出する。
【００７７】
共鳴音防止用ファン風量制御部２８は、バーナ点火が成されてから燃焼機器が温まり共鳴音発生の虞が無くなるまでの期間、上記共鳴音防止用ファン風量制御データ可変設定部３１により設定された共鳴音防止用ファン風量制御データＬ１に基づいて、共鳴音防止モードの燃焼ファン３の回転制御を行う。
【００７８】
この第３の実施形態例によれば、バーナ２の点火が行われる度に、外気温に基づいて共鳴音防止用ファン風量制御データＬ１を設定するので、次に示すような効果を奏することができる。
【００７９】
例えば、予め定めた共鳴音防止用ファン風量制御データＬ１を固定データとして与えておく場合には、燃焼機器の冷めの度合いがどのような状態であっても共鳴音発生を防止することができるようなバーナ燃焼の空燃比が求められ、該空燃比に基づいて上記固定の共鳴音防止用ファン風量制御データＬ１が与えられることとなる。つまり、通常空燃比よりもかなりずれた空燃比に基づいて上記固定の共鳴音防止用ファン風量制御データＬ１が与えられることとなる。このために、その共鳴音防止用ファン風量制御データＬ１に基づいて燃焼ファン３の回転制御が行われると、共鳴音発生を確実に回避することはできるが、バーナ燃焼の空燃比は通常空燃比よりもかなりずれたものとなるので、バーナ燃焼状態は好ましい状態ではない。
【００８０】
この第３の実施形態例では、燃焼機器の周囲の外気温に応じて共鳴音防止用ファン風量制御データＬ１を可変設定する構成を備えたので、バーナ点火時の燃焼機器の冷めの度合いに応じた共鳴音防止用ファン風量制御データＬ１を可変設定することができる。このことから、燃焼機器の周囲の外気温が高いときには、通常空燃比とのずれが小さい空燃比に基づいた共鳴音防止用ファン風量制御データＬ１が可変設定されることとなり、この共鳴音防止用ファン風量制御データＬ１に基づいて共鳴音防止モードの燃焼ファン３の回転制御が行われるので、共鳴音を防止できるのはもちろんのこと、共鳴音防止モードで燃焼ファン３の回転制御が行われている期間におけるバーナ燃焼の不良状態を緩和することができる。
【００８１】
以下に、第４の実施形態例を説明する。この第４の実施形態例では、前記各実施形態例の構成に加えて、図１や図４の鎖線に示すファン風量制御データ可変部３２を設けたことを特徴としている。それ以外の構成は前記各実施形態例と同様であり、その共通部分の重複説明は省略する。
【００８２】
ところで、バーナ点火以降には、燃焼機器は時間が経過するに従ってバーナ燃焼の熱によって温まってくるので、バーナ点火が行われてから時間が経過するに従って、共鳴音発生を防止することができる最適な空燃比と通常空燃比とのずれ量は小さくなる。このことから、この第４の実施形態例では、バーナ点火後の時間の経過に従って変化する、上記共鳴音発生を防止することができる最適な空燃比と通常空燃比とのずれ量に基づいて、共鳴音防止用ファン風量制御データＬ１を可変設定する構成を備えた。
【００８３】
つまり、上記ファン風量制御データ可変部３２は点火制御部２１から点火完了信号が出力されたことを検知すると、データ格納部２５あるいは共鳴音防止用ファン風量制御データ可変設定部３１から共鳴音防止用ファン風量制御データＬ１の情報を取り込み、時間計測手段２３により計測されている時間に基づき、共鳴音防止用ファン風量制御データＬ１を通常ファン風量制御データＬstに一致させる方向に段階的に又は連続的に可変設定する。
【００８４】
共鳴音防止用ファン風量制御部２８はバーナ２の点火が成された以降には、上記ファン風量制御データ可変部３２によって時々刻々と可変設定される共鳴音防止用ファン風量制御データＬ１に基づいて共鳴音防止モードの燃焼ファン３の回転制御を行う。
【００８５】
上記の如く、ファン風量制御データ可変部３２によって、バーナ点火後の時間の経過に伴って共鳴音防止用ファン風量制御データＬ１が可変設定されることにより、共鳴音防止モードの燃焼ファン３の回転制御が行われている期間には、要求燃焼量が等しくとも、バーナ２に供給されるファン風量は通常ファン風量制御データＬstのファン風量に向けて連続的に又は段階的に減少することとなる。
【００８６】
この第４の実施形態例によれば、バーナ点火が行われてからの時間の経過に伴って共鳴音防止用ファン風量制御データＬ１を段階的に又は連続的に通常ファン風量制御データＬstに一致させる方向に可変設定する構成を備えたので、共鳴音防止モードの燃焼ファン３の回転制御が行われている期間には、時間の経過に従ってバーナ燃焼の空燃比は通常空燃比に近づくこととなり、通常空燃比に対する空燃比のずれに起因したバーナ燃焼の不良状態を時間の経過と共に緩和することができる。
【００８７】
以下に、第５の実施形態例を説明する。この第５の実施形態例では、図８に示すような一缶二水路タイプの燃焼機器を対象としている。この一缶二水路タイプの燃焼機器は、給湯機能と給湯以外の他機能（例えば、風呂機能や暖房機能）とを行うことができるものであり、前記図７に示す構成に加えて、図８に示すように他機能用の他機能熱交換器１７が給湯熱交換器７に一体的に設けられており、バーナ２は給湯熱交換器７と他機能熱交換器１７とを共通に燃焼加熱する構成と成しているものである。なお、この第５の実施形態例の説明において、前記各実施形態例と同様な構成部分には同一符号を付し、その共通部分の重複説明は省略する。
【００８８】
上記一缶二水路タイプの燃焼機器では、他機能単独運転によるバーナ２の燃焼が行われているときには、バーナ２の燃焼火炎の熱によって他機能熱交換器１７だけでなく給湯熱交換器７をも加熱されることから、給湯熱交換器７内に滞留している湯水が加熱され、沸騰に近い高温まで上昇することがある。このように、給湯熱交換器７内の滞留湯水が非常に高温であるときに、給湯栓が開栓されると、上記高温の湯水が給湯熱交換器７から流れ出て給湯されてしまうので、湯の利用者に高温の湯が当たり、高温による不快感を与えたり、火傷を負わせてしまうという危険が生じる。
【００８９】
そこで、一缶二水路タイプの燃焼機器では、他機能単独運転中には、バーナ２の燃焼をオン・オフさせる間欠燃焼を行わせ、給湯熱交換器７内の滞留湯水が沸騰に近い高温まで上昇するのを抑制する手段が講じられる場合がある。
【００９０】
具体的には、例えば、図８に示すような、給湯熱交換器７内の湯水の湯温を検出する熱交換器内湯温検出手段１８を設け、他機能単独運転中に、その熱交換器内湯温検出手段１８により検出される給湯熱交換器７内の滞留湯水の湯温が予め定めたオフ温度（例えば、６５℃）以上に上昇したことを検知したときにはバーナ２の燃焼を中断させ、熱交換器内湯温検出手段１８の検出湯温が予め定めたオン温度（例えば、上記オフ温度よりも低い６０℃）以下に低下したことを検知したときにはバーナ２の燃焼を再開させる。このように、他機能単独運転中にバーナ２を間欠燃焼させることにより、給湯熱交換器７内の滞留湯水が沸騰に近い高温に上昇するのを防止することができる。
【００９１】
この第５の実施形態例では、他機能単独運転中に上記バーナの間欠燃焼を制御する構成を備えた一缶二水路タイプの燃焼機器において、前記共鳴音を防止するための制御構成を設けた特有な制御構成の一例を説明する。
【００９２】
つまり、この第５の実施形態例では、制御装置１４は、図５に示すように、燃焼量制御部２０と点火制御部２１とデータ格納部２５と通常ファン風量制御部２６と他機能単独運転監視部３５と間欠燃焼制御部３６と共鳴音防止用ファン風量制御部３７とを有して構成されている。
【００９３】
上記燃焼量制御部２０と点火制御部２１とデータ格納部２５と通常ファン風量制御部２６は前記各実施形態例に示した燃焼量制御部２０と点火制御部２１とデータ格納部２５と通常ファン風量制御部２６とそれぞれ同様な構成を有し、ここでは、その共通部分の重複説明は省略する。
【００９４】
他機能単独運転監視部３５は他機能単独運転が行われているか否かを監視する構成を備えている。なお、他機能単独運転が行われているか否かを監視する手法には様々な手法があり、ここでは、その何れの手法も採用することができ、その説明は省略する。
【００９５】
データ格納部２５には、前述したような他機能単独運転中に給湯熱交換器７内の滞留湯水が沸騰に近い高温に上昇するのを防止するためのオフ温度と、該オフ温度よりも低いオン温度とが予め定められている。
【００９６】
間欠燃焼制御部３６は他機能単独運転監視部３５から取り込んだ監視情報に基づき他機能単独運転が行われていることを検知しているときには、熱交換器内湯温検出手段１８により検出される給湯熱交換器７内の滞留湯水温度を時々刻々と取り込み、この検出滞留湯水温度を上記データ格納部２５のオフ温度に比較して検出滞留湯水温度が上記オフ温度以上であるか否かを判断し、この比較判断の結果、検出滞留湯水温度が上記オフ温度以上であることを検知したときには、バーナ２の燃焼を停止させる。
【００９７】
また、間欠燃焼制御部３６は、バーナ２の燃焼の中断中には、上記熱交換器内湯温検出手段１８の検出滞留湯水温度をデータ格納部２５のオン温度に比較し、検出滞留湯水温度が上記オン温度以下であるか否かを判断し、この比較判断結果により、検出滞留湯水温度が上記オン温度以下に低下したことを検知したときにはバーナ２の燃焼を再開させて、バーナ２の間欠燃焼を制御する。
【００９８】
この第５の実施形態例において最も特徴的な共鳴音防止用ファン風量制御部３７は、予め定めた共鳴音防止期間中には、要求燃焼量に応じたバーナ２への供給燃料ガス量に対応する通常ファン風量制御データＬstのファン風量よりもファン風量を増加させ、供給燃料ガス量に対するファン風量の比（空燃比）を通常空燃比よりも大きくし共鳴音が発生するのを抑制する構成を備えている。
【００９９】
すなわち、この第５の実施形態例では、上記共鳴音防止期間として、他機能単独運転によりバーナ２の点火が成されてから間欠燃焼制御部３６によるバーナ間欠燃焼制御によってバーナ２の燃焼が中断するまでの初回燃焼オン期間と、２回目の燃焼オン期間とが与えられている。
【０１００】
上記共鳴音防止用ファン風量制御部３７は、バーナ２の点火が行われたことを知らせる点火完了信号が点火制御部２１から出力されたことを検知し、前記他機能単独運転監視部３５から取り込んだ監視情報に基づいて、そのバーナ２の点火が他機能単独運転を開始させるためのバーナ点火であることを検知したときには、間欠燃焼による初回燃焼オン期間が開始されたと判断し、共鳴音発生を防止するために、予め定めた共鳴音防止用ファン風量がバーナ２に供給されるように、燃焼ファン３の回転制御を行う。
【０１０１】
この第５の実施形態例では、初回燃焼オン期間における上記共鳴音防止用ファン風量は、バーナ２に供給される燃料ガス量に対応する通常ファン風量制御データＬstのファン風量よりも予め定めた割合（例えば、１０％）分、増加したファン風量である。
【０１０２】
他機能単独運転中に、要求燃焼量が可変することが想定される場合には、例えば、燃焼量制御部２０から要求燃焼量に応じたバーナ２への供給燃料ガス量を時々刻々と検出し、該検出した供給燃料ガス量に対応する通常ファン風量制御データＬstのファン風量をデータ格納部２５に格納されている通常ファン風量制御データＬstに基づいて求め、該求めたファン風量よりも予め定めた割合だけ増加したファン風量を検出することで、上記共鳴音防止用ファン風量を得ることができ、上記共鳴音防止用ファン風量制御部３７は、そのように求めた共鳴音防止用ファン風量がバーナ２に供給されるように燃焼ファン３の回転制御を行う。
【０１０３】
また、他機能単独運転中には、予め定めた固定の燃焼量でバーナ２の燃焼が成される場合には、上記共鳴音防止用ファン風量は予め求まるので、その予め定まる共鳴音防止用ファン風量をデータ格納部２５に格納しておき、共鳴音防止用ファン風量制御部３７は、データ格納部２５に格納されている上記共鳴音防止用ファン風量がバーナ２に供給されるように燃焼ファン３の回転制御を行う。
【０１０４】
共鳴音防止用ファン風量制御部３７は間欠燃焼制御部３６から取り込んだ動作情報に基づき、間欠燃焼による２回目燃焼オン期間が開始されたことを検知したときには、上記初回燃焼オン期間中の共鳴音防止用ファン風量よりも減少させた共鳴音防止用ファン風量がバーナ２に供給されるように燃焼ファン３の回転制御を行う。
【０１０５】
例えば、初回燃焼オン期間に対して定められたファン風量増加用の割合（例えば、１０％）よりも小さい２回目燃焼オン期間のファン風量増加用の割合（例えば５％）を予め定めておき、２回目燃焼オン期間中には、要求燃焼量に応じたバーナ２への供給燃料ガス量に対応する通常ファン風量制御データＬstのファン風量よりも上記２回目燃焼オン期間のファン風量増加用の割合分、増加させたファン風量がバーナ２に供給されるように燃焼ファン３の回転制御を行う。
【０１０６】
共鳴音防止用ファン風量制御部３７は間欠燃焼による２回目燃焼オン期間が終了したときに、共鳴音防止用のファン風量制御が終了したことを知らせる信号を通常ファン風量制御部２６に出力し、この信号を受けた後の間欠燃焼による燃焼オン期間には、通常ファン風量制御部２６による通常ファン風量制御モードの燃焼ファン３の回転制御が行われる。
【０１０７】
この第５の実施形態例によれば、他機能単独運転によるバーナ２の点火が成されてから予め定めた共鳴音防止期間中には、通常ファン風量制御データＬstに基づいてファン風量よりも多くのファン風量がバーナ２に供給されるように燃焼ファン３の回転制御を行い、通常空燃比よりも大きい共鳴音発生を防止することができる空燃比でもってバーナ燃焼を行わせる構成を備えているので、他機能単独運転中に、前記各実施形態例と同様に、共鳴音発生を防止することができる。
【０１０８】
また、共鳴音防止期間が終了した後の他機能単独運転中には、通常ファン風量制御部２６による通常ファン風量制御モードの燃焼ファン３の回転制御が成されるので、通常空燃比よりも大きい空燃比でバーナ燃焼が長い時間継続されることに起因した弊害発生を回避することができる。
【０１０９】
さらに、バーナ２の点火が成されてから時間が経過するに従って燃焼機器が温まり、通常空燃比に対する空燃比のずれを小さくしても共鳴音を防止することができるので、この第５の実施形態例の如く、初回燃焼オン期間の共鳴音防止用ファン風量よりも２回目燃焼オン期間の共鳴音防止用ファン風量を減少させることによって、共鳴音発生を防止しつつ、初回燃焼オン期間よりも２回目燃焼オン期間のバーナ燃焼の不良状態を緩和することができる。
【０１１０】
以下に、第６の実施形態例を説明する。この第６の実施形態例では前記した一缶二水路タイプの燃焼機器を対象としている。本発明者は、バーナ２の燃焼量を小さく抑えた場合には共鳴音を防止できることに気付いたことから、この第６の実施形態例では、バーナの燃焼量を要求燃焼量に精度良く制御しなくとも大きな問題が生じない他機能の単独運転中には、共鳴音が発生する虞がある期間に、燃焼量を予め定めた共鳴音防止用の燃焼量に抑えて共鳴音の発生を防止する制御構成を備えた。なお、この第６の実施形態例の説明において、前記各実施形態例と同一構成部分には同一符号を付し、その共通部分の重複説明は省略する。
【０１１１】
この第６の実施形態例において特徴的な制御構成は、図６に示すように、燃焼量制御部２０と点火制御部２１とデータ格納部２５と他機能単独運転監視部３５と共鳴音防止用燃焼量制御部４０とオフ温度可変設定部４１とを有して構成されている。なお、上記燃焼量制御部２０と点火制御部２１とデータ格納部２５と他機能単独運転監視部３５と間欠燃焼制御部３６とはそれぞれ前記各実施形態例に示した燃焼量制御部２０と点火制御部２１とデータ格納部２５と他機能単独運転監視部３５と間欠燃焼制御部３６の構成とほぼ同様であり、この第６の実施形態例では、その共通部分の重複説明は省略する。
【０１１２】
共鳴音防止用燃焼量制御部４０は点火制御部２１から点火完了信号が出力されたことを検知し、他機能単独運転監視部３５から取り込んだ監視情報に基づき、そのバーナ２の点火が他機能単独運転によるものであることを検知したときには、予め定められた共鳴音防止用制御終了条件が満たされるまで、予め定められた共鳴音防止用の燃焼量でもってバーナ２が燃焼するように比例弁６の開弁度制御を行ってバーナ２の燃焼量制御を行う。
【０１１３】
上記共鳴音防止用の燃焼量は、共鳴音を抑制することができる燃焼量であり、予め実験結果等に基づいて適宜設定されている。例えば、予め定められた燃焼量可変範囲内でバーナ２の燃焼量の可変制御が成される構成が備えられている場合には、上記燃焼量可変範囲の最小燃焼量あるいはその近傍の燃焼量が上記共鳴音防止用の燃焼量として定められることがある。
【０１１４】
あるいは、例えば、他機能単独運転によるバーナ点火後に予め定めた燃焼量Ｒ１で燃焼を行わせ、その後、所定の時間が経過したときに、上記燃焼量Ｒ１から該燃焼量Ｒ１よりも大きい燃焼量Ｒ２に燃焼量を増加させてバーナ２の燃焼を行う構成を備えている場合には、上記燃焼量Ｒ１が共鳴音防止用の燃焼量として定められることがある。
【０１１５】
あるいは、図２に示す緩点火データの燃焼量Ｒｋが共鳴音防止用の燃焼量として定められることがある。このように緩点火データの燃焼量Ｒｋが共鳴音防止用の燃焼量として定められ、この共鳴音防止用の燃焼量でバーナ燃焼している場合には、緩点火データのファン風量Ｆｋがバーナ２に供給されるように燃焼ファン３の回転制御を行う。つまり、緩点火データに基づいてバーナ２の点火を行った後にも引き続き緩点火データの燃焼量Ｒｋとファン風量Ｆｋでもってバーナ２を燃焼させる。
【０１１６】
上記共鳴音防止用制御終了条件とは、共鳴音発生を抑制するための特有な制御を行う必要が無くなったと判断できる条件であり、共鳴音防止用制御終了条件としては様々な条件が考えられるが、例えば、その一例として、他機能単独運転による間欠燃焼の初回燃焼オン期間が終了することが共鳴音防止用制御終了条件として与えられる。
【０１１７】
あるいは、バーナ２の点火が成されてから予め定めた共鳴音防止用時間を経過したときと、その共鳴音防止用時間に達する前に他機能単独運転による間欠燃焼の初回燃焼オン期間が終了したときとのどちらか一方が成されることが共鳴音防止用制御終了条件として与えられる。
【０１１８】
共鳴音防止用燃焼量制御部４０は他機能単独運転によるバーナ２の点火が成されてから上記のような予め定められた共鳴音防止用制御終了条件が満たされるまでの間、上記共鳴音防止用の燃焼量でもってバーナ２の燃焼を行わせ、共鳴音を防止する。そして、上記共鳴音防止用制御終了条件が満たされ、共鳴音発生の虞が無くなったと判断できた以降には、燃焼量制御部２０による燃焼量制御に移行される。
【０１１９】
ところで、この第６の実施形態例では、上記の如く、共鳴音が発生する虞がある期間には燃焼量を小さく抑制することから、その期間に他機能熱交換器１７に与えられる熱量が減少し、この熱量減少に起因した問題発生が心配される。そこで、この第６の実施形態例では、オフ温度可変設定部４１が設けられている。このオフ温度可変設定部４１は上記共鳴音防止用燃焼量制御部４０から取り込んだ動作情報に基づき、共鳴音防止用燃焼量制御部４０による燃焼量制御が行われていることを検知しているときには、間欠燃焼に使用される前記オフ温度を例えば予め定めた温度だけ高めに可変設定する。
【０１２０】
間欠燃焼制御部３６は、共鳴音防止用燃焼量制御部４０による燃焼量制御が行われている期間中には、上記オフ温度可変設定部４１により可変設定されたオフ温度を利用して前記同様にバーナ２の間欠燃焼制御を行う。
【０１２１】
このように、間欠燃焼に使用されるオフ温度を高めることによって、間欠燃焼の燃焼オン期間が長くなり、このことにより、上記共鳴音を防止するために燃焼量を抑制しても、その燃焼量が抑制されている期間に他機能熱交換器１７に与えられる熱量の減少を抑えることができる。
【０１２２】
例えば、他機能である風呂追い焚き機能が備えられている場合に、追い焚き単独運転によるバーナ２の点火が成された後に、上記のように共鳴音を防止するための燃焼量を抑制する制御が行われると、風呂が沸き上がるまでの時間が長くなる場合があるけれども、上記のように、間欠燃焼に使用されるオフ温度が高められることによって、間欠燃焼の燃焼オン期間が長くなるので、風呂の沸き上がり時間が長くなるのを防止することができる。もちろん、上記の如く、高められたオフ温度は、給湯熱交換器７内の滞留湯水が沸騰に近い高温に上昇するのを抑制することができるオフ温度であり、このことから、オフ温度を高めても前記高温給湯問題を回避することができる。
【０１２３】
この第６の実施形態例によれば、他機能単独運転によるバーナ点火後の共鳴音発生回避期間中には、バーナ２の燃焼量を共鳴音防止用の燃焼量に抑えてバーナ燃焼を行わせる構成を備えたので、他機能単独運転中における共鳴音を防止することができる。また、この第６の実施形態例では、上記の如く、他機能単独運転中には、燃焼量を共鳴音防止用の燃焼量に抑制するけれども、他機能単独運転中には、給湯運転のように熱交換器から流れ出る湯温を精度良く制御する必要がないことから、給湯設定温度の湯が給湯されないというような湯温制御性能の低下の問題は生じない。
【０１２４】
さらに、上記第６の実施形態例では、オフ温度可変設定部４１が設けられ、該オフ温度可変設定部４１によって、共鳴音防止用燃焼量制御部４０による燃焼量制御が行われている期間中には、間欠燃焼に使用されるオフ温度を高める構成が備えられているので、他機能単独運転中の共鳴音発生回避期間には、共鳴音を防止するために燃焼量が抑制されるけれども、間欠燃焼による燃焼オン期間が長くなる結果、上記共鳴音発生回避期間中に他機能熱交換器１７に与えられる熱量の減少を抑えることができ、他機能熱交換器１７に与えられる熱量減少に起因した問題発生を防止することができる。
【０１２５】
なお、この発明は上記各実施形態例に限定されるものではなく、様々な実施の形態を採り得る。例えば、上記各実施形態例では、点火制御部２１や通常ファン風量制御部２６や共鳴音防止用ファン風量制御部２８，３７は、バーナ２に供給される燃料ガス量を用いて燃焼ファン３の回転制御を行っていたが、燃料ガス量情報として、燃料ガス量に対応する比例弁６の弁開度情報（例えば、比例弁電流値）を用いて燃焼ファン３の回転制御を行ってもよい。この場合には、ファン風量と、燃料ガス量の情報としての比例弁電流との関係データがファン風量制御データとして与えられる。
【０１２６】
また、上記第１〜第４の各実施形態例では、給湯機能のみが設けられている燃焼機器を例にして説明したが、例えば、上記第１〜第４の各実施形態例に示した制御構成は、給湯機能に加えて、給湯以外の他機能が設けられている例えば二缶二水路タイプの燃焼機器や一缶二水路タイプの燃焼機器にも適用することができる。
【０１２７】
さらに、給湯機能と給湯以外の他機能とを備えた複合機能タイプの燃焼機器の場合には、例えば、給湯単独運転中には、第１〜第４の各実施形態例に示したように、通常空燃比に基づいたファン風量よりもファン風量を増加させバーナ燃焼の空燃比を通常空燃比よりも大きくして共鳴音発生を防止し、他機能単独運転中には、上記第６の実施形態例に示したように、燃焼量を抑制して共鳴音発生を防止するようにしてもよい。
【０１２８】
さらに、上記各実施形態例では、共鳴音発生回避時間可変設定部２２は、外気温検出手段１６の検出外気温と、要求燃焼量との組み合わせによって、共鳴音発生回避時間を可変設定していたが、例えば、要求燃焼量に代えて、要求燃焼量に対応する比例弁電流値を利用し、共鳴音発生回避時間可変設定部２２は、比例弁電流値と、外気温検出手段１６の検出外気温との組み合わせによって、共鳴音発生回避時間を可変設定するように構成してもよい。
【０１２９】
さらに、上記の如く、共鳴音発生回避時間可変設定部２２は、外気温検出手段１６の検出外気温と、要求燃焼量との組み合わせによって、共鳴音発生回避時間を可変設定していたが、予め定められた燃焼量の可変制御範囲が狭い場合のように要求燃焼量がほぼ定まるような場合には、共鳴音発生回避時間可変設定部２２は、外気温検出手段１６の検出外気温と、要求燃焼量とのうちの検出外気温のみを考慮して、共鳴音発生回避時間を可変設定する構成としてもよい。
【０１３０】
さらに、上記各実施形態例では、共鳴音発生回避時間可変設定部２２と共鳴音発生回避判断部２４が設けられている場合には、共鳴音発生回避判断部２４はバーナ２の点火が成されてから共鳴音発生回避時間可変設定部２２により可変設定された共鳴音発生回避時間が経過したときに共鳴音発生回避条件が満たされたと判断する構成であったが、予め定めた固定の共鳴音発生回避時間を与えておき、共鳴音発生回避判断部２４はバーナ２の点火が成されてから上記固定の共鳴音発生回避時間が経過したときに共鳴音発生回避条件が満たされたと判断する構成としてもよい。この場合には、共鳴音発生回避時間可変設定部２２を省略することができる。
【０１３１】
さらに、上記各実施形態例では、ファン風量制御モード切り換え部２７は、共鳴音発生回避条件が満たされたと判断したときに、燃焼ファン３の回転制御モードを共鳴音防止用ファン風量制御部２８による共鳴音防止モードから通常ファン風量制御部２６による通常ファン風量制御モードに切り換えていたが、例えば、ファン風量制御モード切り換え部２７は、共鳴音発生回避条件が満たされたと判断したときから予め定めた時間を経過したときに、燃焼ファン３の回転制御モードを切り換えるように構成してもよい。
【０１３２】
さらに、上記第３の実施形態例では、共鳴音防止用ファン風量制御データ可変設定部３１は予め定められた共鳴音防止用ファン風量制御データ算出用データに基づいて共鳴音防止用ファン風量制御データを求めていたが、例えば、共鳴音防止用ファン風量制御データ可変設定部３１は、バーナ点火が行われたときに、前記第２の実施形態例に示したように共鳴音発生有無判断データを求め、この求めた共鳴音発生有無判断データよりも予め定めた量だけファン風量増加方向に平行移動させたデータを共鳴音防止用ファン風量制御データとして設定してもよい。
【０１３３】
さらに、上記第５の実施形態例では、他機能単独運転における間欠燃焼の初回燃焼オン期間の共鳴音防止用ファン風量よりも２回目燃焼オン期間の共鳴音防止用ファン風量が少なくなるように構成されていたが、例えば、初回燃焼オン期間の共鳴音防止用ファン風量と２回目燃焼オン期間の共鳴音防止用ファン風量とを等しくしてもよい。
【０１３４】
さらに、上記第５の実施形態例では、間欠燃焼における初回燃焼オン期間と２回目燃焼オン期間が共鳴音防止期間として定められていたが、共鳴音防止期間は共鳴音発生の虞がある期間であり、その期間は他機能単独運転中における燃焼能力や、燃焼機器の想定される設置状況等によって適宜設定されるものであり、例えば、間欠燃焼における初回燃焼オン期間のみが共鳴音防止期間として定められる場合もあるし、３回目以降の所定の燃焼オン期間が終了するまでの期間が共鳴音防止期間として定められる場合もある。また、他機能単独運転によるバーナ点火が成されてから予め定めた時間が経過するまでの期間を共鳴音防止期間として定めてもよい。
【０１３５】
さらに、上記第６の実施形態例では、オフ温度可変設定部４１が設けられ、共鳴音防止用燃焼量制御部４０により燃焼量制御が行われているときには、オフ温度可変設定部４１によって、間欠燃焼に使用されるオフ温度を高める方向に可変設定する構成が備えられていたが、共鳴音防止期間中に他機能熱交換器に与えられる熱量が減少しても大きな支障が生じないと想定される場合には、上記オフ温度可変設定部４１を省略してもよい。
【０１３６】
【発明の効果】
燃焼機器が共鳴音を発生する虞がある期間には、通常空燃比よりもバーナ燃焼の空燃比を大きくして燃焼機器が共鳴音を発するのを防止する共鳴音防止モードで燃焼ファンの回転制御を行わせる構成を備えたものにあっては、共鳴音が発生する虞がある期間には、共鳴音を防止できる空燃比でバーナ燃焼が行われるので、共鳴音発生を回避することができる。また、その共鳴音が発生する虞がある期間には、要求燃焼量に応じた燃料ガス量がバーナに供給されるので、上記の如く、共鳴音発生を回避することができる上に、バーナ燃焼により要求燃焼量を得ることができる。
【０１３７】
バーナ点火が行われてから共鳴音発生回避時間が経過したときに、共鳴音発生回避条件が満たされたと判断し、この判断結果に基づいて、燃焼ファンの回転制御モードを共鳴音防止モードから通常ファン風量制御モードに切り換える構成を備えたものにあっては、簡単な制御構成でモード切り換えのタイミングを決定でき、燃焼ファンの回転制御モードを共鳴音防止モードから通常ファン風量制御モードに切り換えることができる。
【０１３８】
また、外気温検出手段により検出された外気温と要求燃焼量とのうちの少なくとも外気温に基づいて、上記共鳴音発生回避時間を可変設定する構成を備えたものにあっては、外気温に応じた燃焼機器の冷め具合によって、共鳴音が発生する虞がある期間の長さは変化することから、その期間の長さの変化に応じて共鳴音発生回避時間を可変設定することができることとなり、より適したタイミングで、燃焼ファンの回転制御モードを共鳴音防止モードから通常ファン風量制御モードに切り換えることができる。
【０１３９】
バーナ点火後に、共鳴音が発生する虞があるか否かを判断するための共鳴音発生有無判断データを時々刻々と求め、この共鳴音発生有無判断データに基づいて燃焼ファンの回転制御モードを共鳴音防止モードから通常ファン風量制御モードに切り換えるタイミングを決定する構成を備えたものにあっては、バーナ点火後の燃焼機器の温まり状況に応じて、燃焼ファンの回転制御モードの切り換えタイミングを決定することが可能であり、燃焼機器の回転制御モードの切り換えが早過ぎて共鳴音が発生してしまうという問題や、切り換えが遅過ぎて共鳴音防止モードの燃焼ファンの回転制御が長い時間に亙り行われ、このことに起因した弊害が生じるという問題を防止することができる。
【０１４０】
外気温検出手段により検出される外気温に基づいて、共鳴音防止用ファン風量制御データを可変設定する構成を備えたものにあっては、外気温に応じた燃焼機器の冷め具合によって、バーナを点火したときにおける共鳴音を防止できる最適な空燃比と通常空燃比とのずれ量が変化することを考慮して、共鳴音防止用ファン風量制御データを可変設定することができる。このように、共鳴音防止用ファン風量制御データを可変設定することによって、燃焼機器の周囲の外気温が高いときには、共鳴音防止用ファン風量制御データに基づいた燃焼ファンの回転制御中におけるバーナ燃焼の空燃比と通常空燃比とのずれを小さくすることができ、共鳴音を防止することができる上に、ほぼ良好な状態でバーナ燃焼を行わせることができる。
【０１４１】
バーナ点火が行われた以降に共鳴音防止用ファン風量制御データを通常ファン風量制御データに一致させる方向に段階的に又は連続的に可変設定する構成を備えたものにあっては、バーナ点火が行われてから時間の経過に従って燃焼機器は温まっていくので、バーナ点火が行われてから時間の経過に従って共鳴音を防止することができるバーナ燃焼の最適な空燃比と通常空燃比とのずれ量は小さくなる方向に変化する。このずれ量の変化に伴って共鳴音防止用ファン風量制御データを可変設定することができることとなり、共鳴音を防止しながら、時間の経過に従ってバーナ燃焼状態を通常の良好な状態に近付けていくことができる。
【０１４２】
また、一缶二水路タイプの燃焼機器において、他機能単独運転により共鳴音が発生する虞がある期間には、通常ファン風量制御データに基づいたファン風量よりも多い共鳴音防止用ファン風量がバーナに供給されるように燃焼ファンの回転制御を行う構成を備えたものにあっては、他機能単独運転中に、共鳴音が発生する虞がある期間には、共鳴音を防止できるようにバーナ燃焼の空燃比を通常空燃比よりも大きくすることができるので、共鳴音を防止することができる。
【０１４３】
一缶二水路タイプの燃焼機器において、他機能単独運転により共鳴音が発生する虞がある期間には、予め定めた共鳴音防止用の燃焼量でもってバーナ燃焼を行わせる構成を備えたものにあっては、燃焼量を抑えることによって共鳴音を防止できることから、他機能単独運転中に共鳴音が発生する虞がある期間には、バーナの燃焼量を共鳴音防止用の燃焼量に抑えることによって、共鳴音を防止することができる。また、他機能単独運転中には、給湯運転中のようにバーナの燃焼量が要求燃焼量に精度良く制御されなくとも大きな支障は生じないことから、他機能単独運転中に上記のように燃焼量を抑制しても、給湯湯温が所望の湯温よりもぬるくなる等の問題無く、共鳴音を防止することができる。
【０１４４】
共鳴音を防止するために燃焼量を抑制する燃焼量制御を行っているときに、間欠燃焼制御に使用されるオフ温度を高める構成を備えたものにあっては、共鳴音を防止するための燃焼量制御中に上記オフ温度が高くなることから、間欠燃焼の燃焼オン期間を長くすることができる。このことから、共鳴音防止期間中に他機能熱交換器に与えられる熱量の減少を緩和することができ、他機能熱交換器に与えられる熱量の減少に起因した問題を回避することができる。
【図面の簡単な説明】
【図１】第１、第３、第４の各実施形態例において特徴的な制御構成例を示すブロック構成図である。
【図２】通常ファン風量制御データと共鳴音防止用ファン風量制御データと共鳴音発生有無判断データのそれぞれの例を示すグラフである。
【図３】共鳴音発生回避時間を求めるためのデータの一例を示すグラフである。
【図４】第２、第３、第４の各実施形態例において特徴的な制御構成例を示すブロック構成図である。
【図５】第５の実施形態例において特徴的な制御構成例を示すブロック構成図である。
【図６】第６の実施形態例において特徴的な制御構成例を示すブロック構成図である。
【図７】燃焼機器である給湯器の一例を模式的に示すモデル図である。
【図８】一缶二水路タイプの燃焼機器の一例を模式的に示すモデル図である。
【符号の説明】
２  バーナ
３  燃焼ファン
７  給湯熱交換器
１４  制御装置
１６  外気温検出手段
１７  他機能熱交換器
１８  熱交換器内湯温検出手段
２２  共鳴音発生回避時間可変設定部
２４  共鳴音発生回避判断部
２６  通常ファン風量制御部
２７  ファン風量制御モード切り換え部
２８，３７  共鳴音防止用ファン風量制御部
３０  共鳴音発生有無判断データ検出部
３１  共鳴音防止用ファン風量制御データ可変設定部
３２  ファン風量データ可変部
３６  間欠燃焼制御部
４０  共鳴音防止用燃焼量制御部
４１  オフ温度可変設定部
【図１】
0004073100.tif 000002
【図２】
0004073100.tif 000003
【図３】
0004073100.tif 000004
【図４】
0004073100.tif 000005
【図５】
0004073100.tif 000006
【図６】
0004073100.tif 000007
【図７】
0004073100.tif 000008
【図８】
0004073100.tif 000009